(57)【要約】流体ディスペンサポンプであって、内部に計量チャンバ（２０）を有するポンプ本体（１０）を有し、当該計量チャンバはポンプ本体（１０）の上側部分（１１）の内部をスライド移動する上側ピストン（３０）とポンプ本体（１０）の下側部分（１２）の内部をスライド移動する下側ピストン（４０）との間に規定されており、前記下側ピストン（４０）はポンプ本体（１０）の前記下側部分（１２）に配置されたスプリング（５０）と協働し、特徴となるのは、スプリング（５０）が流体と全く接触しないように隔絶されており、ポンプ本体の下側部分（１２）は、ポンプ駆動の間の空気の出入りを可能とする空気取り込み手段（１５）を有し、前記空気取り込み手段（１５）に流体が入り込むことを防止するための隔絶手段（６０）が設けられている点である、という前記ポンプ。
2005507986.tif 000002
【特許請求の範囲】
【請求項１】
流体ディスペンサポンプであって、
内部に計量チャンバ（２０）を有するポンプ本体（１０）を有し、当該計量チャンバはポンプ本体（１０）の上側部分（１１）の内部をスライド移動する上側ピストン（３０）とポンプ本体（１０）の下側部分（１２）の内部をスライド移動する下側ピストン（４０）との間に規定されており、前記下側ピストン（４０）はポンプ本体（１０）の前記下側部分（１２）に配置されたスプリング（５０）と協働し、
特徴となるのは、
スプリング（５０）が流体と全く接触しないように隔絶されており、ポンプ本体の下側部分（１２）は、ポンプ駆動の間の空気の出入りを可能とする空気取り込み手段（１５）を有し、前記空気取り込み手段（１５）に流体が入り込むことを防止するための隔絶手段（６０）が設けられている点である、
という前記ポンプ。
【請求項２】
前記空気取り込み手段（１５）は、ポンプ本体（１０）の下側部分（１２）に作られた穴という形で形成されていること、
を特徴とする請求項１に記載のポンプ。
【請求項３】
前記隔絶手段（６０）は、前記ポンプ本体（１０）を囲む形で配置された外側ケースで成ること、
を特徴とする請求項１又は２に記載のポンプ。
【請求項４】
空気通路（６１）が前記ケース（６０）と前記ポンプ本体（１０）との間に規定されており、前記空気通路（６１）はポンプの通気孔（１００）につながっていること、
を特徴とする請求項３に記載のポンプ。
【請求項５】
通気孔（１００）内には、入ってくる空気をフィルタ処理するように設計されたフィルタ（８０）があること、
を特徴とする請求項４に記載のポンプ。
【請求項６】
前記ケース（６０）はポンプ本体（１０）の周りを囲む形で装着されており、前記空気通路（６１）は、ポンプ本体（１０）の外壁及び／又はケース（６０）の内壁に形成された少なくとも１つのグルーブによって形作られていること、
を特徴とする請求項４又は５に記載のポンプ。
【請求項７】
前記ケース（６０）は、ポンプが組み付けられる貯蔵器に密封効果を提供する径方向フランジ（６５）を有すること、
を特徴とする請求項３乃至６のいずれかに記載のポンプ。
【請求項８】
前記径方向フランジ（６５）はネックガスケットを形成していること、
を特徴とする請求項７に記載のポンプ。
【請求項９】
前記ケース（６０）は、ポンプ本体（１０）の外壁に密封効果を提供するスリーブ（６２）を有すること、
を特徴とする請求項３乃至８のいずれかに記載のポンプ。
【請求項１０】
前記スリーブ（６２）は弾性変形して、ポンプ本体（１０）の内側から来る空気が前記空気取り込み手段（１５）を通過することを許すこと、
を特徴とする請求項９に記載のポンプ。
【請求項１１】
請求項１乃至１０のいずれかに記載のポンプを有する流体ディスペンサ装置であって、前記ポンプが固定用リング又はキャップによって貯蔵器に設置されている、という前記流体ディスペンサ装置。
【発明の詳細な説明】
【技術分野】
【０００１】
本発明は流体ディスペンサポンプに関し、さらには、そうしたポンプを含む流体ディスペンサ装置に関する。
【背景技術】
【０００２】
流体ディスペンサポンプは従来技術において公知のものである。本発明は、より具体的に言うと、ポンプが有する戻しスプリングが、ポンプによって投与される流体と接触しない、というポンプに関する。この場合、スプリングはポンプ本体内部のチャンバ内に配置される。当該チャンバは流体からは隔絶されており、内部には空気が入っている。ポンプ駆動の間に、スプリングと協働するポンプの移動部材は移動させられ、それによってスプリングを圧縮するのだが、空気が存在することにより、ポンプの使いやすさや信頼性に関して問題が生じうる。
【発明の開示】
【発明が解決しようとする課題】
【０００３】
そこで、本発明は、安全に使用できて信頼性が高いと共に、製造及び組立が簡単かつ安価である、という流体ディスペンサポンプを提供することを目的とする。
【課題を解決するための手段】
【０００４】
上記目的を達成するために本発明が提供するのは、流体ディスペンサポンプであって、内部に計量チャンバを有するポンプ本体を有し、当該計量チャンバはポンプ本体の上側部分の内部をスライド移動する上側ピストンとポンプ本体の下側部分の内部をスライド移動する下側ピストンとの間に規定されており、前記下側ピストンはポンプ本体の前記下側部分に配置されたスプリングと協働し、特徴となるのは、スプリングが流体と全く接触しないように隔絶されており、ポンプ本体の下側部分は、ポンプ駆動の間の空気の出入りを可能とする空気取り込み手段を有し、前記空気取り込み手段に流体が入り込むことを防止するための隔絶手段が設けられている点である、という前記ポンプである。
【発明の効果】
【０００５】
また、前記空気取り込み手段は、ポンプ本体の下側部分に作られた穴という形で形成されていること、とするのが効果的である。
また、前記隔絶手段は、前記ポンプ本体を囲む形で配置された外側ケースで成ること、とするのが効果的である。
また、空気通路が前記ケースと前記ポンプ本体との間に規定されており、前記空気通路はポンプの通気孔につながっていること、とするのが効果的である。
【０００６】
また、通気孔内には、入ってくる空気をフィルタ処理するように設計されたフィルタがあること、とするのが効果的である。
また、前記ケースはポンプ本体の周りを囲む形で装着されており、前記空気通路は、ポンプ本体の外壁及び／又はケースの内壁に形成された少なくとも１つのグルーブによって形作られていること、とするのが効果的である。
【０００７】
また、前記ケースは、ポンプが組み付けられる貯蔵器に密封効果を提供する径方向フランジを有すること、とするのが効果的である。
また、前記径方向フランジはネックガスケットを形成していること、とするのが効果的である。
また、前記ケースは、ポンプ本体の外壁に密封効果を提供するスリーブを有すること、とするのが効果的である。
【０００８】
また、前記スリーブは弾性変形して、ポンプ本体の内側から来る空気が前記空気取り込み手段を通過することを許すこと、とするのが効果的である。
本発明はさらに、上記のように規定されたポンプのいずれかを有する流体ディスペンサ装置であって、前記ポンプが固定用リング又はキャップによって貯蔵器に設置されている、という前記流体ディスペンサ装置を提供する。
【発明を実施するための最良の形態】
【０００９】
本発明の他の特長及び効果は、それに関する非限定的かつ効果的な実施の形態についての以下の詳細な説明を、図面を参照しながら読むことでいっそう明らかになる。
本発明のポンプはポンプ本体１０を有し、その中では、上側ピストン３０と下側ピストン４０との間に計量チャンバ２０が形作られている。上側ピストン３０はポンプ本体の上側部分１１の中をスライド移動し、下側ピストン４０はポンプ本体の下側部分１２の中をスライド移動する。好ましい構成として、下側ピストン４０はポンプ本体内部に浮動状態で設置されており、スプリング５０と協働する。当該スプリングはポンプ本体１０の端部壁に設置されており、ポンプの戻しスプリングを形成している。
【００１０】
本発明では、スプリング５０は、ポンプによって投与される流体から完全に隔絶されている。これは、スプリングチャンバ（すなわち、スプリングが配置されているポンプ本体の下側部分）に入り込む流体が全くない、という意味である。ポンプの動作の安全及び信頼性を保証するために、本発明では、ポンプ本体の下側部分１２に空気取り込み手段１５が設けられている。これは、ポンプ駆動中の空気の出入りを可能とするものである。これにより、下側ピストン４０がポンプ本体の下側部分内部で下方向に移動させられる際に、空気取り込み手段１５を介して空気を放出することができる。そして、下側ピストンが上がる際には、前記空気取り込み手段を通して空気を吸入することができる。効果的な構成として、空気取り込み手段１５は、ポンプ本体の下側部分１２に形成された穴の形で設けられている。
【００１１】
本発明では、ポンプ本体の下側部分に流体が入り込むことを防止し、スプリング５０が流体と接触しないことを保証するために、隔絶手段６０が設けられている。一般に金属製であるスプリングと投与対象流体との接触を完全に排除することは、スプリングとの接触で性質が変わってしまう危険性のある特定の医薬の場合に特に有効である。
効果的な構成として、隔絶手段６０は、本体を囲む形で装着される外側ケースという形で作られており、さらに当該隔絶手段は、穴１５を覆うことで流体が前記ポンプ本体内に入り込むのを防止している。効果的な構成として、外側ケースは、形状がポンプ本体に一致しており、それにより、前記ケースは装着されるとすぐに、壁の面全体と接触する状態になるが、それでも、ポンプ本体１０と外側ケース６０との間には空気通路６１が形成され、当該空気通路は、ポンプの通気孔１００につながっている。図面に示す例では、通気孔はポンプの上側部分に配置されている。その位置にはポンプガスケット８０があり、当該ガスケットは、ポンプを貯蔵器（図示せず）の上に設置するための固定用リング又はキャップ７０とポンプとの間に密封効果を実現するものである。ここに示す例では、ガスケット８０はフィルタガスケットである。よって、流体が投与された後、これに置き換わる形でポンプ内に入ってくる空気は、前記フィルタ８０を通過する。そしてこの時、フィルタは、流体の品質を劣化させる危険のあるバクテリア及び／又は不純物を取り除くのである。
【００１２】
効果的な構成として、ケース６０は、貯蔵器（図示せず）のネックに密封効果を提供するように設計された径方向フランジ６５を有する。前記径方向フランジ６５については、好ましい構成として、ポンプのネックガスケットまで形成する形にできる。しかしながら、この場合、通気孔１００は、ポンプ本体と外側ケース６０との間に形成された空気通路６１に直接つながっている。そして、そのため、前記通気空気がポンプ内に入り込むことを可能とするための空気流手段を設ける必要がある。これを達成する手段としてはスリーブ６２が好ましく、当該スリーブは外側ケース６０の下側端部の位置に形成されている、とするのが好ましい。なお、前記スリーブは、第１に、ポンプ本体１０の外壁に密封効果を提供するものであるが、それでも、弾性変形して通気空気を通過させることができる。
【００１３】
こうした構成により、本発明は、ポンプの戻しスプリング５０と流体との間の接触が完全に排除されることを保証することができ、それと同時に、ポンプの安全かつ信頼できる形での動作を可能とする。これは、スプリング５０のチャンバ内に入っている空気が、下側ピストン４０の移動の結果として自由に流れることができるからである。それと並んで、隔絶手段（具体的には、外側ケース）により、流体がスプリングに接触しないように確実に密封が実現される。こうして、本発明の目的は、ケース６０によって構成される非常に簡単かつ安価な手段によって実現される。本発明は、図面に示した実施の形態ではさらに、頂上側の径方向フランジという形でネックガスケット６５を形成しており、本発明の目的を達成するのに必要な構成部品の数も少なく抑えている。
【００１４】
本発明については、以上、特定の実施の形態を例に挙げて説明してきたが、本発明は当該実施の形態に限定されるものではなく、当業者であれば、添付の特許請求の範囲によって規定される本発明の範囲から逸脱しない形で、これに様々な変形を施すことが可能であろう。
【図面の簡単な説明】
【００１５】
【図１】本発明の実施の形態を成すディスペンサポンプを、休止状態において示す概略断面図である。
【図１】
2005507986.tif 000003
【国際公開パンフレット】
2005507986.tif 000004
2005507986.tif 000005
2005507986.tif 000006
2005507986.tif 000007
2005507986.tif 000008
2005507986.tif 000009
2005507986.tif 000010
2005507986.tif 000011
2005507986.tif 000012
【国際公開パンフレット（コレクトバージョン）】
2005507986.tif 000013
2005507986.tif 000014
【国際調査報告】
2005507986.tif 000015
2005507986.tif 000016
2005507986.tif 000017
2005507986.tif 000018